(57)【要約】      （修正有）【課題】使用者のバストの形状を美しく見せられるようにした粘着式のブラジャーを提供する。【解決手段】カップ部１の後面２が使用者の皮膚に粘着するようにした肩紐やバックバンドがないブラジャーであって、カップ部１の内部に、人の指の力で曲げられるバスト保形用のワイヤー片３を有するものとしている。前後方向に延びる複数の通気孔８を形成した発泡材５をカップ部１の内部に有するものとすることもできる。そして、カップ部１が、前側発泡材部５ａと後側発泡材部５ｂからなる発泡材５を内部に有し、さらに、前側発泡材部５ａと後側発泡材部５ｂの間にワイヤー片３を配している。【選択図】図２
0003143682.tif 000002
【実用新案登録請求の範囲】
【請求項１】
カップ部（１）の後面（２）が使用者の皮膚に粘着するようにした肩紐やバックバンドがないブラジャーであって、カップ部（１）の内部に、人の指の力で曲げられるバスト保形用のワイヤー片（３）を有することを特徴とするブラジャー。
【請求項２】
前後方向に延びる複数の通気孔（８）を形成した発泡材（５）をカップ部（１）の内部に有する請求項１記載のブラジャー。
【請求項３】
カップ部（１）が、前側発泡材部（５ａ）と後側発泡材部（５ｂ）からなる発泡材（５）を内部に有し、さらに、前側発泡材部（５ａ）と後側発泡材部（５ｂ）の間にワイヤー片（３）を配している請求項１又は２記載のブラジャー。
【考案の詳細な説明】
【技術分野】
【０００１】
この考案は、カップ部の後面が使用者の皮膚に粘着するようにしたブラジャーに関するものである。
【背景技術】
【０００２】
従来より、特許文献１に記載のような、カップ部の後面が使用者の皮膚に粘着するようにした肩紐やバックバンドがないブラジャーがある。この種のブラジャーは、衣服から肩紐やバックバンドが露出することがなく、美観の点で優れており、肩紐やバックバンドによる身体への圧迫感もないため、人気があり多く普及している。
【０００３】
しかし、この種のブラジャーは、これまで、カップ部を使用者の皮膚にしっかりと粘着させることについての改良は行われてきたが、使用者のバストの形状を美しく見せるという観点からの改良は、さほど行われていなかった。
【特許文献１】実用新案登録第３１２３１２５号公報
【考案の開示】
【考案が解決しようとする課題】
【０００４】
そこで、この考案は、粘着式のブラジャーにおいて、使用者のバストの形状を美しく見せるようにすることを課題とする。
【課題を解決するための手段】
【０００５】
この考案のブラジャーは、カップ部１の後面２が使用者の皮膚に粘着するようにした肩紐やバックバンドがないブラジャーであって、カップ部１の内部に、人の指の力で曲げられるバスト保形用のワイヤー片３を有するものとしている。
【０００６】
前後方向に延びる複数の通気孔８を形成した発泡材５をカップ部１の内部に有するものとすることもできる。
【０００７】
そして、カップ部１が、前側発泡材部５ａと後側発泡材部５ｂからなる発泡材５を内部に有し、さらに、前側発泡材部５ａと後側発泡材部５ｂの間にワイヤー片３を配しているものとすることもできる。
【考案の効果】
【０００８】
この考案のブラジャーは、上述のような構成を有しており、ワイヤー片３を適宜変形させることにより、使用者のバストの形状を美しく見せることが可能となる。
【０００９】
また、前後方向に延びる複数の通気孔８を形成した発泡材５をカップ部１の内部に有するものとすれば、使用者が汗をかいても蒸れにくく、快適な使用感が得られるものとなる。
【００１０】
そして、カップ部１が、前側発泡材部５ａと後側発泡材部５ｂからなる発泡材５を内部に有し、さらに、前側発泡材部５ａと後側発泡材部５ｂの間にワイヤー片３を配しているものとすることにより、ワイヤー片３を有するこの考案のブラジャーを容易に製造することができる。
【考案を実施するための最良の形態】
【００１１】
以下、この考案の好適な実施形態を、図面を参照して説明する。
【００１２】
図１はこの考案の実施形態のブラジャーの正面図、図２はカップ部１の中央部分の断面図、図３はブラジャーの裏側（カップ部１の後面２側）の説明図、図４はワイヤー片３の正面図である。
【００１３】
このブラジャーは、カップ部１の後面２が使用者の皮膚に粘着するようにした肩紐やバックバンドがないブラジャーであって、カップ部１の内部に、人の指の力で曲げられるバスト保形用のワイヤー片３を有するものとしている。
【００１４】
このブラジャーは、使用者の胸に貼り付けて使用するタイプのブラジャーで、図１に示したように、２つのカップ部１を着脱自在な連結具４，４により連結することにより構成されている。
【００１５】
正面左側のカップ部１の連結具４は右側部に設けられ、正面右側のカップ部１の連結具４は左側部に設けられており、一方の連結具４に他方の連結具４を差し込んで連結できるようにしている。連結具４は、プラスチック製、金属製等とすることができ、形状は図示したものに限定されない。
【００１６】
カップ部１は、図２に示したように、発泡材５と、発泡材５の内部に配されたワイヤー片３、発泡材５の前面側を覆う前面生地層６、及び発泡材５の後面２側（使用者の皮膚に接触する側）を覆う後面粘着層７から構成されている。後面粘着層７の露出した表面がカップ部１の後面２である。
【００１７】
発泡材５は、発泡ウレタン製で、中央からアンダーバストに当たる部分の厚みが厚くなるようにした椀形状としている。この実施形態では、発泡材５は、前側発泡材部５ａと後側発泡材部５ｂの２つからなり、これらを前後に重ねて接着剤により互いに接着することにより一体化させている。
【００１８】
後側発泡材部５ｂには、図２に示したように、適宜間隔で前後方向に延びて貫通する通気孔８が形成されている。通気孔８は、直径２ｍｍ程度で、縦横各６ｍｍ程度の間隔ごとに形成され、全体では２６０個程度形成されている。通気孔８は、金型により後側発泡材部５ｂの成形時に同時に形成されるようにすることができる。この発泡材５は、通気孔８の形成により、同じ大きさの発泡材よりも軽量になっている。なお、前側発泡材部５ａには、その後面から前側の途中に至る、前記通気孔８の延長部分を形成している。
【００１９】
ワイヤー片３は、幅２ｍｍ、厚み１ｍｍ、長さ１５ｃｍ程度の扁平で長尺な形状で、図３、図４に示したように、カップ部１の下側の周縁部に沿うように湾曲している。ワイヤー片３の材質は、鉄、ステンレス、チタン等の金属とすることができる。ワイヤー片３の両端部は、発泡材５を突き抜けて使用者の皮膚を傷めることがないように、プラスチック製等の丸みを帯びた保護部材９が接着されている。
【００２０】
ワイヤー片３は、着用時に使用者のアンダーバストに沿うように位置しており、使用者が適宜指で変形させることにより、バストをよせた状態にして、バストの形状によりフィットさせて、その状態を保持させることができる。
【００２１】
発泡材５の前面側を覆う前面生地層６は、スパンテックスのような伸縮性や通気性の優れた素材からなるものとしている。また、前面生地層６は、草、木、花等の植物、その他適宜の模様を施したレース生地とすることもできる。
【００２２】
後面粘着層７は、発泡材５の後面２に粘着剤を塗布することにより形成したものである。粘着剤は、繰り返し皮膚に粘着させたり剥がしたりすることが可能なもので、シリコン樹脂とすることができる。
【００２３】
なお、カップ部１の周縁は、波型にカットされた形状で、パイピング部材等の周縁部材は存在せず、アウター着用時に目立たないようにしているが、縁部全周をパイピング加工してもよい。
【００２４】
このブラジャーは、前述のように、ワイヤー片３を曲げることによって、使用者のバストの形状を保持し、美しく見せることが可能である。
【００２５】
また、内部の発泡材５が、通気孔８により通気性がよくなっているため、使用者の皮膚が汗で蒸れたりしにくく、快適な使用感が得られる。しかも、発泡材５に通気孔８を形成した分、軽量化されており、発泡材５の厚みを大きくしても使用者への負担が少なく快適に使用でき、また、厚みを大きくすることによって強度を向上させることもできる。さらに、洗濯して水分がしみこんでも比較的早く乾燥させることができる。
【００２６】
そして、ワイヤー片３を、前述の通り、発泡材５を構成する前側発泡材部５ａと後側発泡材部５ｂの間に配すると、前側発泡材部５ａと後側発泡材部５ｂとを接着させると同時に、ワイヤー片３もこれらと一体化させることができるため、本願考案のブラジャーをきわめて容易に製造することが可能である。
【００２７】
なお、この考案は、上述の実施形態の構成に限定されるものではなく、各部の素材、形状、寸法等を適宜変更して実施することができる。
【図面の簡単な説明】
【００２８】
【図１】この考案の実施形態のブラジャーの正面図である。
【図２】この考案の実施形態のブラジャーのカップ部の中央部分の断面図である。
【図３】この考案の実施形態のブラジャーの裏側の説明図である。
【図４】この考案の実施形態のブラジャーのワイヤー片の正面図である。
【符号の説明】
【００２９】
１  カップ部
２  後面
３  ワイヤー片
５  発泡材
５ａ  前側発泡材部５ａ
５ｂ  後側発泡材部５ｂ
８  通気孔
【図１】
0003143682.tif 000003
【図２】
0003143682.tif 000004
【図３】
0003143682.tif 000005
【図４】
0003143682.tif 000006